(57)【要約】      （修正有）【課題】キーボードと合体させた状態で表示装置の倒れを防止する。【解決手段】キーボード１は、上面に設けられる各種操作キー群１１と、上面に設けられ、表示装置２の一端部２２が挿入される挿入孔を有する挿入枠と、挿入孔の内部に設けられ、表示装置２の一端部２２が挿入孔に挿入された状態で表示装置２を保持する保持部と、挿入枠の内部に配置され、表示装置２の一端部２２が挿入孔に挿入されると、一端部２２により押されて下側に突出する足部１６と、を備える。挿入枠はキー群１１の後方部に設けられ、さらに、挿入孔の後ろ側に縁を残して形成され、表示装置２の一端部２２を挿入孔に挿入する装着時に押されて下側に突出する足部１６を後ろ側から支える縁部３０ａが備えられている。【選択図】図４
2016177527.tif 000002
【特許請求の範囲】
【請求項１】
上面に設けられるキー群と、
前記上面に設けられ、表示装置の一端部が挿入される挿入孔を有する挿入枠と、
前記挿入孔の内部に設けられ、前記表示装置の一端部が前記挿入孔に挿入された状態で前記表示装置を保持する保持部と、
前記挿入枠の内部に配置され、前記表示装置の一端部が前記挿入孔に挿入されると、当該一端部により押されて下側に突出する足部と、を備えることを特徴とするキーボード。
【請求項２】
前記挿入枠は前記キー群の後方部に設けられることを特徴とする請求項１に記載のキーボード。
【請求項３】
前記挿入枠の後ろ側に縁を残して形成され、前記装着時に押されて下側に突出する足部を後ろ側から支える縁部が備えられていることを特徴とする請求項２に記載のキーボード。
【請求項４】
前記足部は回転自在に備えられて、
前記足部の上部には、前記挿入孔に挿入される前記表示装置の一端部裏面側と当接して回転力が付与されるとともに、前記表示装置の一端部裏面側を安定して支える平坦部が形成されていることを特徴とする請求項１から３のいずれか一項に記載のキーボード。
【請求項５】
前記表示装置の一端部裏面側を前記保持部で支えるとともに、前記足部の前記平坦部で前記表示装置の一端部裏面側を支えて、前記表示装置を傾斜させて安定状態に保持することを特徴とする請求項４に記載のキーボード。
【請求項６】
前記表示装置を上に重ねると、前記足部が下側に突出することを特徴とする請求項１から５のいずれか一項に記載のキーボード。
【請求項７】
前記表示装置を装着していない状態で、前記足部が下側に出ないことを特徴とする請求項１から６のいずれか一項に記載のキーボード。
【請求項８】
前記表示装置を装着していない状態で、前記足部が下側に突出していることを特徴とする請求項１から５のいずれか一項に記載のキーボード。
【請求項９】
前記表示装置を上に重ねた状態で、前記足部が下側に出ないことを特徴とする請求項１から５のいずれか一項に記載のキーボード。
【請求項１０】
上面に設けられるキー群、前記上面に設けられる挿入孔を有する挿入枠、その挿入孔の内部に設けられる保持部、及び前記挿入孔の内部に配置される足部を備えるキーボードと、
表示画面より前方部に設けられる一端部を備える表示装置と、からなり、
前記挿入孔に前記一端部が挿入されると、前記一端部により押されて前記足部が下側に突出し、前記キーボード上に前記保持部と足部で前記表示装置が保持された装着状態になることを特徴とするキーボードと表示装置の装着システム。
【発明の詳細な説明】
【技術分野】
【０００１】
本発明は、キーボードと、そのキーボードと表示装置の装着システムに関する。
【背景技術】
【０００２】
例えばタブレット等の表示装置はそれだけで持ち運ぶものであるため、その本体に電源となる電池を搭載していて重量的に相当重いものである。
一方、キーボード側は釦と基板のみの簡素な構造からなっているため、重量はタブレットに比べると軽量である。
【０００３】
このように重量バランスが大きく違う表示装置とキーボードの筐体同士を、例えば特許文献１のように、単にドッキングするだけでは、表示装置本体側が倒れてしまうため、現状では表示装置本体にスタンドを設ける必要があった。
また、例えば表示装置本体用カバーにキーボードを付けた場合には、そのキーボードカバーにスタンドを付ける必要があった。
【先行技術文献】
【特許文献】
【０００４】
【特許文献１】特開平７−２４４５４７号公報
【発明の概要】
【発明が解決しようとする課題】
【０００５】
しかし、スタンドは、全体が大型化になるだけでなく、後ろに出っ張るので、狭い場所（例えば新幹線のテーブル等）で使いづらい問題もある。
また、キーボード側に突部を設けて倒れないようにする手法も考えられるが、製品の厚みに影響してしまう問題もある。
【０００６】
本発明の課題は、製品の厚みに影響せず、使用者が取り出したりする手間も無く、キーボードと合体させた状態で表示装置の倒れを防止することである。
【課題を解決するための手段】
【０００７】
以上の課題を解決するため、本発明は、
上面に設けられるキー群と、
前記上面に設けられ、表示装置の一端部が挿入される挿入孔を有する挿入枠と、
前記挿入孔の内部に設けられ、前記表示装置の一端部が前記挿入孔に挿入された状態で前記表示装置を保持する保持部と、
前記挿入枠の内部に配置され、前記表示装置の一端部が前記挿入孔に挿入されると、当該一端部により押されて下側に突出する足部と、を備えるキーボードを特徴とする。
【発明の効果】
【０００８】
本発明によれば、製品の厚みに影響せず、使用者が取り出したりする手間も無く、キーボードを合体させた状態で足が出るので、表示装置の倒れを防止することができる。
【図面の簡単な説明】
【０００９】
【図１】本発明を適用したキーボードの一実施形態の構成を示す概略平面図である。
【図２】本発明を適用した表示装置の一実施形態の構成を示す概略平面図である。
【図３】図１の矢印Ａ−Ａ線に沿った断面図である。
【図４】図１の矢印Ａ−Ａ線に沿って表示装置の装着状態を示した断面図である。
【図５】図１の矢印Ｂ−Ｂ線に沿って表示装置の装着状態を示した断面図である。
【図６】図１の矢印Ｂ−Ｂ線に沿って表示装置を上に重ねた状態を示した断面図である。
【図７】変形例１を示すもので、図３と同様の断面図である。
【図８】表示装置をぶら下げた状態を示す断面図で、変形例２も併せて示した図である。
【図９】変形例２を示すもので、図６と同様に表示装置を上に重ねた状態を示した断面図である。
【発明を実施するための形態】
【００１０】
以下、図を参照して本発明を実施するための形態を詳細に説明する。
【００１１】
（概要）
表示装置とキーボードを合体するタイプの電子機器において、キーボードと合体した状態で表示装置の倒れを防止する。
キーボードと合体させると、表示装置をコンパクトな構造により傾斜（起立）させて使用できる。
つまり、製品の厚みに影響せず、使用者が取り出したりする手間が無いよう、表示装置をキーボードに差し込むと、自動的に倒れ防止の足が出る。
従って、使用者が表示装置の倒れを気にすることなく使用できる。
【００１２】
（実施形態）
図１は本発明を適用したキーボード１の一実施形態の概略構成を示すもので、１１は各種操作キー群、１２は挿入孔、１３は保持部、１４は磁石、１５はコネクタ、１６は足部、１７は軸部、１８は付勢部材、１９はフック、３０は挿入枠である。
【００１３】
キーボード１は、図示のように、上面に各種操作キー群１１を備えて、その各種操作キー群１１より後方部に上下方向へ貫通する横長の挿入孔１２が形成されている。
すなわち、挿入孔１２は、横に細長く抉るようにして形成されることにより、挿入孔１２の周囲に挿入枠３０が形成され、この挿入枠３０のうちの後方側には後壁部による縁部３０ａが残されている。
この挿入孔１２の内部に、各種操作キー群１１側に沿って保持部１３が設けられている。
この保持部１３に、左右一対の磁石１４と、その間のコネクタ１５が設けられている。
そして、挿入孔１２の内部には、各種操作キー群１１と対向する側に沿って足部１６が設けられている。
【００１４】
この足部１６は、左右の軸部１７で挿入孔１２内に回転自在に組み付けられて、バネ１８により挿入孔１２内への収納方向に付勢されている。すなわち、１本のバネ１８の左右のコイル部１８ａが軸部１７に巻かれて、そのコイル部１８ａ先端が足部１６に係止されている。
なお、足部１６の軸部１７より上端側は、平坦部１６ａとなっている。
また、挿入孔１２の後ろ側の縁部３０ａには左右一対のフック１９が起立して設けられている。
【００１５】
図２は本発明を適用したタブレット（表示装置）２の一実施形態の概略構成を示すもので、２１は表示画面、２２は下端部（一端部）である。
【００１６】
表示装置であるタブレット２は、図示のように、表示画面２１より前方が同幅に延長する下端部２２として形成されている。
【００１７】
図３は図１の矢印Ａ−Ａ線に沿った断面で、図示のように、足部１６の先端にラバー１６ｂが設けられている。
【００１８】
図４は図１の矢印Ａ−Ａ線に沿ってキーボード１へのタブレット２の装着状態を示した断面で、図示のように、タブレット２の下端部２２の先端には凹部２３が形成されて、この凹部２３に磁石２４が設けられている。
【００１９】
図５は図１の矢印Ｂ−Ｂ線に沿ってキーボード１へのタブレット２の装着状態を示した断面で、図示のように、タブレット２の下端部２２先端の凹部２３に接続端子部（基板上の接点パッド）２５が設けられている。
【００２０】
以上のように構成したことで、キーボード１の各種操作キー群１１より後方部の挿入孔１２に、タブレット２の手前側の下端部２２の裏面側２２ａを差し込むと、図３から図４に示すように、その下端部裏面側２２ａに平坦部１６ａが押されて、バネ１８の付勢に抗して足部１６が軸部１７を中心に回転して下側に出る。
こうして、先端が下側に出た足部１６は、挿入孔１２の後ろ側の縁部３０ａにより支えられるシンプルな構造となっている。
また、下側に出た足部１６先端のラバー１６ｂにより、滑りを防止できる。
【００２１】
そして、キーボード１が各種操作キー群１１より後方部を足部１６で持ち上げられて、上面の各種操作キー群１１が後上がりに若干傾斜した状態になると同時に、キーボード１の後方部上にタブレット２が保持部１３と足部１６の平坦部１６ａで後ろに傾斜して低重心で安定した状態になる。
すなわち、タブレット２の下端部２２の下面側が保持部１３で支えられるとともに、タブレット２の下端部裏面側２２ａが足部１６の平坦部１６ａで支えられて、タブレット２が傾斜させて安定状態に保持される。
このとき、保持部１３の左右一対の磁石１４と、下端部２２先端の凹部２３内の磁石２４とにより、タブレット２とキーボード１は吸着状態に保持されている。
【００２２】
また、図５に示すように、保持部１２の中央のコネクタ１５と、下端部２２先端の凹部２３内の接続端子部２５とが接続状態となって、タブレット２とキーボード１は電気的接続状態に保持されている。
なお、図４及び図５に示したように、タブレット２の下端部２２の前面側は、キーボード１の挿入孔１２に隠れることなく、外部に完全に露出している。
【００２３】
このように、使用者はタブレット２の下端部裏面側２２ａをキーボード１の各種操作キー群１１より後方部の挿入孔１２に差し込むだけで、足部１６が出てタブレット２が倒れることなく使用することができる。
【００２４】
なお、タブレット２を抜くと、足部１６は、図３に示すように、バネ１８の付勢により挿入孔１２内の元の位置に戻る。
【００２５】
図６は図１の矢印Ｂ−Ｂ線に沿ってキーボード１上にタブレット２を重ねた状態を示した断面で、図示のように、挿入孔１２の後壁部に起立した左右一対のフック１９が、下端部２２先端の左右に形成されたロック溝２９にそれぞれ係止して、キーボード１上にタブレット２を重ねた状態が保持されている。
なお、キーボード１とタブレット２の反対側も同様の左右一対のフック１９とロック溝２９がそれぞれ係止状態となっている。
【００２６】
このように、タブレット２をキーボード１上面に重ねて載せると、図示のように、タブレット２により足部１６は幾分押されて先端が少し出っ張るようになっているため、挿入孔１２への収納状態においても、足部１６先端のラバー１６ｂにより滑り止めの役目は維持される。
【００２７】
以上、実施形態のタブレット２とキーボード１によれば、挿入孔１２に下端部２２の裏面側２２ａを挿入すると、その下端部裏面側２２ａにより平坦部１６ａで押されて、足部１６が軸部１７を中心に回転して下側に突出動作すると同時に、キーボード１上に保持部１３と足部１６でタブレット２が後ろに傾斜させて保持された装着状態になる。
従って、製品の厚みに影響せず、使用者が取り出したりする手間も無く、タブレット２とキーボード１を合体させた時に自動的に足部１６が出ることで、タブレット２の倒れを防止することができる。
【００２８】
（変形例１）
図７は変形例１を示すもので、図示のように、キーボード１の単独状態において、足部１６が下側に少し出るようにバネ１８のコイル部１８ａの付勢力が調整されている。
【００２９】
すなわち、例えば図８に示すように、壁のフックＦにタブレット２をぶら下げて、その表示画面２１を見ながら、キーボード１の各種操作キー群１１を入力操作する際に、足部１６が下側に少し出る。これにより、キーボード１が後方部を足部１６で持ち上げられて、上面の各種操作キー群１１が後上がりに若干傾斜した状態になって、入力操作しやすくなる。
また、下側に少し出た足部１６先端のラバー１６ｂにより、滑りを防止できる。
【００３０】
（変形例２）
図８及び図９は変形例２を示すもので、図示のように、タブレット２の下端部２２の上面に、足部１６の平坦部１６ａ先端の係合部１６ｃが入る窪み２６が形成されている。
【００３１】
すなわち、図９に示したように、キーボード１上にタブレット２を重ねた状態において、足部１６の平坦部１６ａ先端の係合部１６ｃが下端部２２上面の窪み２６に入って、足部１６がキーボード１の下側に出ないで挿入孔１２に収納された状態になっている。
従って、足部１６がキーボード１から出っ張らないので、キーボード１上にタブレット２を重ねた状態でバッグに入れて携行等する場合に便利となる。
【００３２】
（他の変形例）
以上の実施形態においては、タブレットとキーボードとしたが、本発明はこれに限定されるものではなく、他の表示装置とキーボードを備える携帯電話など他の電子機器であってもよい。
また、その他、具体的な細部構造等についても適宜に変更可能であることは勿論である。
【００３３】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
上面に設けられるキー群と、
前記上面に設けられ、表示装置の一端部が挿入される挿入孔を有する挿入枠と、
前記挿入孔の内部に設けられ、前記表示装置の一端部が前記挿入孔に挿入された状態で前記表示装置を保持する保持部と、
前記挿入枠の内部に配置され、前記表示装置の一端部が前記挿入孔に挿入されると、当該一端部により押されて下側に突出する足部と、を備えることを特徴とするキーボード。
＜請求項２＞
前記挿入枠は前記キー群の後方部に設けられることを特徴とする請求項１に記載のキーボード。
＜請求項３＞
前記挿入枠の後ろ側に縁を残して形成され、前記装着時に押されて下側に突出する足部を後ろ側から支える縁部が備えられていることを特徴とする請求項２に記載のキーボード。
＜請求項４＞
前記足部は回転自在に備えられて、
前記足部の上部には、前記挿入孔に挿入される前記表示装置の一端部裏面側と当接して回転力が付与されるとともに、前記表示装置の一端部裏面側を安定して支える平坦部が形成されていることを特徴とする請求項１から３のいずれか一項に記載のキーボード。
＜請求項５＞
前記表示装置の一端部裏面側を前記保持部で支えるとともに、前記足部の前記平坦部で前記表示装置の一端部裏面側を支えて、前記表示装置を傾斜させて安定状態に保持することを特徴とする請求項４に記載のキーボード。
＜請求項６＞
前記表示装置を上に重ねると、前記足部が下側に突出することを特徴とする請求項１から５のいずれか一項に記載のキーボード。
＜請求項７＞
前記表示装置を装着していない状態で、前記足部が下側に出ないことを特徴とする請求項１から６のいずれか一項に記載のキーボード。
＜請求項８＞
前記表示装置を装着していない状態で、前記足部が下側に突出していることを特徴とする請求項１から５のいずれか一項に記載のキーボード。
＜請求項９＞
前記表示装置を上に重ねた状態で、前記足部が下側に出ないことを特徴とする請求項１から５のいずれか一項に記載のキーボード。
＜請求項１０＞
上面に設けられるキー群、前記上面に設けられる挿入孔を有する挿入枠、その挿入孔の内部に設けられる保持部、及び前記挿入孔の内部に配置される足部を備えるキーボードと、
表示画面より前方部に設けられる一端部を備える表示装置と、からなり、
前記挿入孔に前記一端部が挿入されると、前記一端部により押されて前記足部が下側に突出し、前記キーボード上に前記保持部と足部で前記表示装置が保持された装着状態になることを特徴とするキーボードと表示装置の装着システム。
【符号の説明】
【００３４】
１  キーボード
１１  各種操作キー群
１２  挿入孔
１３  保持部
１４  磁石
１５  コネクタ
１６  足部
１６ａ  平坦部
１６ｂ  弾性体
１６ｃ  係合部
１７  軸部
１８  付勢部材
１９  フック
２  表示装置
２１  表示画面
２２  下端部（一端部）
２２ａ  下部裏面側
２３  凹部
２４  磁石
２５  接続端子部
２６  窪み
２９  ロック溝
３０  挿入枠
３０ａ  後ろ側の縁部
【図１】
2016177527.tif 000003
【図２】
2016177527.tif 000004
【図３】
2016177527.tif 000005
【図４】
2016177527.tif 000006
【図５】
2016177527.tif 000007
【図６】
2016177527.tif 000008
【図７】
2016177527.tif 000009
【図８】
2016177527.tif 000010
【図９】
2016177527.tif 000011